(57)【要約】【課題】  同期検出回路の電源波形に含まれる切込み波形を除去し、三相４線式電源の各相の電圧線路と中性線路間の電圧波形の基本波に対して、位相差の少ない同期信号パルスを生成し得る調光装置用同期検出回路を提供する。【解決手段】  同期検出回路１の電源入力端子８ａ，８ｂ間に接続されたＬＣフィルタ回路ａを備え、該ＬＣフィルタ回路ａにより交流電源７の電圧波形（Ｖ０）に含まれる歪波形を減衰させて同期信号パルスの位相のずれを補正し、ＬＣフィルタ回路ａの出力端子電圧（Ｖ１）に基づいて、サイリスタ素子の点弧位相角の基準位相点を設定する。【選択図】  図２
2007115430.tif 000002
【特許請求の範囲】
【請求項１】
三相４線式交流電源における各相の電圧線路と中性線路間の電圧から、サイリスタ調光器におけるサイリスタ素子の点弧位相角制御の基準となるゼロクロス点を検出する同期検出回路であって、
該同期検出回路の電源入力端子間に接続されたＬＣフィルタ回路を備え、該ＬＣフィルタ回路により、前記交流電源の電圧波形に含まれる歪波形を減衰させると共に該電圧波形の位相のずれを補正し、該ＬＣフィルタ回路の出力端子電圧に基づいて、前記サイリスタ素子の点弧位相角の基準位相点を決定するよう構成したことを特徴とする調光装置用同期検出回路。
【請求項２】
前記ＬＣフィルタ回路に接続された電流制限回路と、該電流制限回路に接続されたフォトカプラを通して同期信号パルスを生成するパルス成形回路をさらに備え、
前記電流制限回路により前記同期信号パルスのパルス幅を所定幅に設定し、
前記フォトカプラにより一次側に流れる交流信号と二次側に流れる直流信号を電気的に絶縁すると共に、該フォトカプラにより前記ＬＣフィルタ回路の出力端子電圧の波形を成形し、
前記パルス成形回路により前記フォトカプラから出力された波形を同期信号パルスに変換して出力することで、
前記ＬＣフィルタ回路の出力端子電圧に基づいて、前記サイリスタ素子の点弧位相角の基準位相点を決定するよう構成したことを特徴とする請求項１記載の調光装置用同期検出回路。
【請求項３】
前記ＬＣフィルタ回路が、前記同期検出回路の電源端子間において、抵抗と直列にインダクタとコンデンサを並列接続した並列共振回路で構成され、該並列共振回路の共振周波数が、前記サイリスタ調光器における定格周波数の５０％〜２００％の範囲内に設定されていることを特徴とする請求項１又は２記載の調光装置用同期検出回路。
【請求項４】
前記パルス成形回路をシュミット回路で構成したことを特徴とする請求項２又は３記載の調光装置用同期検出回路。
【請求項５】
前記並列共振回路において、前記インダクタのインダクタンスＬの値を理論値Ｌ０より大きくして、前記シュミット回路における出力ＯＮ動作電圧と出力ＯＦＦ動作電圧の動作の遅れを補正するよう構成したことを特徴とする請求項４記載の調光装置用同期検出回路。
【請求項６】
三相４線式の交流電源の各相に接続された複数のサイリスタ調光器と、夫々のサイリスタ調光器に位相角制御信号を送ってサイリスタ素子による点弧位相角を制御する制御回路と、前記交流電源の各相の電圧線路と中性線路間の電圧のゼロクロス点を検出して前記制御回路に送る前記各相に各一毎の計三個の同期検出回路を備え、前記制御回路により、前記同期検出回路で検出されたゼロクロス点を前記サイリスタ素子による点弧位相角制御の基準として、対応する複数個のサイリスタ調光器に位相角制御信号を送り、該サイリスタ調光器に接続された照明器具の調光制御を行う調光装置であって、
前記同期検出回路として、請求項１〜５のいずれか１項記載の同期検出回路を用いたことを特徴とする調光装置。
【発明の詳細な説明】
【技術分野】
【０００１】
本発明は、劇場やテレビスタジオなどで使用される調光装置に関し、詳しくは、この種調光装置における、サイリスタ調光器の点弧位相角の基準となる同期信号を発生する同期検出回路の改良に関する。
【背景技術】
【０００２】
劇場やテレビスタジオなどの、数十台から数百台の照明器具が設置される演出空間には、中性線路を有する三相４線式の交流電源の各相に数十台から数百台のサイリスタ調光器が接続された中規模以上の調光装置が設置されている（例えば特許文献１など参照）。
【０００３】
この種調光装置の一例を図１０に基づき説明すれば、この調光装置は、三相４線式の交流電源７の各相に接続された複数のサイリスタ調光器３と、夫々のサイリスタ調光器３に位相角制御信号を送ってサイリスタ素子による点弧位相角を制御する制御回路２と、交流電源７の各相の電圧線路Ｒ，Ｓ，Ｔと中性線路Ｎ間の電圧のゼロクロス点を検出して制御回路２に送る各相毎の同期検出回路１’を備えている。
【０００４】
制御回路２には、不図示の調光操作卓の操作により調光信号発生部（例えば、ＤＭＸ出力制御回路）５から発せられる調光信号が供給され、この調光信号に基づき、制御回路２から所定のサイリスタ調光器３に点弧位相角制御信号が送られ、この点弧位相角制御信号によってサイリスタ素子が点弧位相角制御され、該サイリスタ調光器３の出力端子に接続された負荷（照明器具）４の明るさを任意に調整するように構成されている。
また、制御回路２は、同期検出回路１’が検出したゼロクロス点、すなわち、調光装置が受電した各相の電圧線路Ｒ，Ｓ，Ｔと中性線路Ｎ間の電圧のゼロクロス点が同期信号として供給され、このゼロクロス点を点弧位相角の基準として、位相角制御信号によるサイリスタ素子の点弧位相角を決定している。
【０００５】
同期検出回路１’の一例は、図１１に示すように、電源入力端子８ａ，８ｂに接続された固定抵抗９、可変抵抗１０と、その出力側に接続されたフォトカプラｃと、その二次側に接続されたプルアップ抵抗１２と、その出力側に接続されたシュミット回路１３などを備え、固定抵抗９及び可変抵抗１０により、シュミット回路１３で生成される同期信号パルス（Ｖ３）のパルス幅を所定幅に設定し、フォトカプラｃによりその一次側に流れる交流信号と二次側に流れる直流信号を電気的に絶縁すると共に、プルアップル抵抗１２などにより、電源入力端子８ａ，８ｂ間の交流電源７からの電圧波形（Ｖ０）における出力を波形成形し、シュミット回路１３により、その波形（Ｖ２）を前記同期信号パルス（Ｖ３）に変換して、制御回路２に送るようになっている。
【０００６】
ところで、図１０の構成の調光装置Ａを劇場やテレビスタジオなどに設置した場合、交流電源７と調光装置Ａの間に存在する線路インピーダンス６が無視できず、電源７と調光装置Ａ間の線路が長い場合や大電力を同時に調光したときに、点弧位相制御による鋸歯状波電流が中性線路Ｎに流れることにより、図１２のＶ０に示すように、中性線路Ｎのインピーダンスによる各相Ｒ，Ｓ，Ｔの電圧線路と中性線路間の電圧波形（電源電圧波形）に切込み波形（歪波形）が発生し、調光操作によって切込み波形がゼロクロス点付近を通過するなどした場合、ゼロクロス点が不安定となり、整流波形（Ｖ２）に乱れが生じるに伴い、同期信号パルス（Ｖ３）も同様に乱れる。この結果、サイリスタ素子の点弧位相角制御の基準が浮動し、誤点弧を生じて、照明器具４の明かりがちらつくなどの不具合を生じていた。
【０００７】
このような不具合を解決するために、例えば、図１３に示すように、抵抗１４とコンデンサ１６からなるフィルタ回路を備えた同期検出回路１”を用い、電圧波形（Ｖ０）における切込み波形の影響を除去することが考えられる。しかし、このようなフィルタ回路では除去効果が充分ではなく、同期信号パルス（Ｖ３）の位相がゼロクロス点より遅れるため、サイリスタ素子の誤点弧を解消し得るとは言い難い。同期信号パルス（Ｖ３）の位相の遅れを防ぐためにそのパルス幅を広げることも考えられるが、その場合、サイリスタ素子の位相制御範囲が狭くなる等の別の問題が生じる。
この対策として、交流電源７と調光装置Ａ間の線路インピーダンス６を低減させるべく、電線やバスダクトの断面積を大きくすることが考えられるが、この場合、余分な費用が嵩むという問題があるので、実際には、電源７と調光装置Ａ間の線路長さに制限を設けて対処している。
【０００８】
【特許文献１】特開２００５−２３５５７３号
【発明の開示】
【発明が解決しようとする課題】
【０００９】
上記したように、従来の調光装置においては、三相４線式電源の電路又は幹線電路の中性線路に調光操作に伴う鋸歯状波電流が流れることによって、電路又は幹線電路のインピーダンスに基因する切込み波形が発生し、同期検出回路によるゼロクロス点の同期信号が浮動して、調光制御が不安定になるという問題が生じる。
本発明はこのような従来事情に鑑みてなされたもので、その目的とする処は、同期検出回路の電源波形に含まれる切込み波形（歪波形）を除去し、三相４線式電源の各相の電圧線路と中性線路間の電圧波形の基本波に対して、位相差の少ない同期信号パルスを生成することができる調光装置用同期検出回路と、この同期検出回路を備えた調光装置を提供することである。
【課題を解決するための手段】
【００１０】
以上の目的を達成するために、本発明に係る調光装置用同期検出回路は、三相４線式交流電源における各相の電圧線路と中性線路間の電圧から、サイリスタ調光器におけるサイリスタ素子の点弧位相角制御の基準となるゼロクロス点を検出する同期検出回路であって、
該同期検出回路の電源入力端子間に接続されたＬＣフィルタ回路を備え、該ＬＣフィルタ回路により、前記交流電源の電圧波形に含まれる歪波形を減衰させると共に該電圧波形の位相のずれを補正し、該ＬＣフィルタ回路の出力端子電圧に基づいて、前記サイリスタ素子の点弧位相角の基準位相点を設定するよう構成したことを特徴とする。
【００１１】
より具体的には、同期検出回路の電源入力端子間に接続されたＬＣフィルタ回路と、該ＬＣフィルタ回路に接続された電流制限回路と、該電流制限回路に接続されたフォトカプラと、該フォトカプラを通して同期信号パルスを生成するパルス成形回路を備え、
前記ＬＣフィルタ回路により前記交流電源の電圧波形に含まれる歪波形を減衰させると共に該電圧波形の位相のずれを補正し、
前記電流制限回路により前記同期信号パルスのパルス幅を所定幅に設定し、
前記フォトカプラにより一次側に流れる交流信号と二次側に流れる直流信号を電気的に絶縁すると共に、該フォトカプラにより前記ＬＣフィルタ回路の出力端子電圧の波形を成形し、
前記パルス成形回路により前記フォトカプラから出力された波形を同期信号パルスに変換して出力することで、
前記ＬＣフィルタ回路の出力端子電圧に基づいて、前記サイリスタ素子の点弧位相角の基準位相点を設定するよう構成したことを特徴とする。
【００１２】
前記ＬＣフィルタ回路が、前記同期検出回路の電源端子間において、抵抗と直列にインダクタとコンデンサを並列接続した並列共振回路で構成され、該並列共振回路の共振周波数が、前記サイリスタ調光器における定格周波数の５０％〜２００％の範囲内に設定されていることが好ましい。
【００１３】
前記並列共振回路の共振周波数が、前記交流電源の電源周波数の値又はその近似値に設定されていても良い。
【００１４】
前記サイリスタ調光器の定格周波数が５０Ｈｚと６０Ｈｚ兼用である場合は、前記並列共振回路の共振周波数が５０Ｈｚと６０Ｈｚの中間値に設定されていることが好ましい。
【００１５】
前記フォトカプラやパルス成形回路は、小型トランスやその他の伝送素子を用いて構成することもできるが、この場合、回路構造が複雑になるなどの不具合がある。
これに対し、前記フォトカプラを採用したり、前記パルス成形回路をシュミット回路で構成することで、回路構成を簡単なものとすることができる。
【００１６】
前記パルス成形回路を一般的なシュミット回路で構成した場合、その出力がＯＮ動作電圧とＯＦＦ動作電圧は動作の安定を図るために異なるため、同期信号パルスの位相が電源電圧に対して遅れる傾向にある。よって、この場合は、前記並列共振回路において、前記インダクタのインダクタンスＬの値を理論値Ｌ０より１０％程度（８〜１２％の範囲内）大きくし、前記コンデンサの端子電圧の位相を、前記交流電源の電圧に対し進み位相にして、前記シュミット回路における出力ＯＮ動作電圧と出力ＯＦＦ動作電圧の動作の遅れを補正するよう構成することが好ましい。
【００１７】
本発明に係る調光装置は、三相４線式の交流電源の各相に接続された複数のサイリスタ調光器と、夫々のサイリスタ調光器に位相角制御信号を送ってサイリスタ素子による点弧位相角を制御する制御回路と、前記交流電源の各相の電圧線路と中性線路間の電圧のゼロクロス点を検出して前記制御回路に送る前記各相に各一毎の計三個の同期検出回路を備え、前記制御回路により、前記同期検出回路で検出されたゼロクロス点を前記サイリスタ素子による点弧位相角制御の基準として、対応する複数個のサイリスタ調光器に位相角制御信号を送り、該サイリスタ調光器に接続された照明器具の調光制御を行う調光装置であって、前記同期検出回路として、前述したいずれかの同期検出回路を用いたことを特徴とする調光装置である。
【発明の効果】
【００１８】
以上説明したように、本発明に係る調光装置用同期検出回路は、サイリスタ素子の点弧位相角制御の基準となるゼロクロス点を検出するための同期検出回路であって、同期検出回路の電源入力端子間に接続されたＬＣフィルタ回路により、三相４線式交流電源の電圧波形に含まれる歪波形、すなわち、商用電源から調光装置に至る電圧線路において中性線路に流れる鋸歯状波電流に起因する切込み波形を同期検出回路で減衰すると共に、前記電源電圧との位相差が少ない同期信号を得ることができる。そして、このＬＣフィルタ回路の出力端子電圧に基づいて、サイリスタ素子の点弧位相角の基準位相点を決定するので、前記電源電圧のゼロクロス点の誤検出や検出遅れなどを防止して、サイリスタ素子が誤点弧する虞れのない、安定した調光制御を可能にすることができる。
【００１９】
また、本発明に係る調光装置は、前記した同期検出回路を備えるので、電線やバスダクトの断面積を大きくするコスト高を余儀なくされる手段や、電源と調光装置間の距離を制限する余分な手間を要する手段をとることなく、数十台〜数百台のサイリスタ調光器による調光制御を安定して行うことができる。また、劇場やテレビスタジオなどに好適に用いることができる中小規模の調光装置としても提供することができる。
【発明を実施するための最良の形態】
【００２０】
以下、本発明の実施形態例を図面を参照しながら説明する。
本例の調光装置の概要は、同期検出回路以外の構成要素については、図１０に示す従来の調光装置と同様であるため、調光装置については図１０を援用して重複する説明及び図示を省略し、発明の要旨である同期検出回路について以下に詳述する。
【００２１】
本例の同期検出回路１は、図１及び図２に示すように、三相４線式の交流電源７における各相の電圧線路Ｒ，Ｓ，Ｔと中性線路Ｎに接続される電源入力端子８ａ，８ｂと、これら電源入力端子８ａ，８ｂ間に接続されたＬＣフィルタ回路ａと、該ＬＣフィルタ回路ａに接続された電流制限回路ｂと、該電源制限回路ｂに接続されたフォトカプラｃと、該フォトカプラｃに接続されたパルス成形回路ｄからなり、該パルス成形回路ｄを調光装置Ａの制御回路２に接続して、交流電源７の電圧波形に含まれる歪波形を減衰させると共に該電圧波形の位相のずれを補正したＬＣフィルタ回路ａの出力端子電圧を同期信号パルスに変換して、制御回路２に出力するよう構成されている。
【００２２】
ＬＣフィルタ回路ａは、電源入力端子８ａの出力側に接続された抵抗１７に、内部抵抗がＲＬでインダクタンスがＬのインダクタ２０と、静電容量がＣのコンデンサ２１を並列接続した並列共振回路で構成されている。
インダクタ２０とコンデンサ２１の値は、その共振周波数が、交流電源７の電源周波数に近くなるような値が選ばれる。例えば、サイリスタ調光器３の定格周波数が５０Ｈｚと６０Ｈｚ兼用であれば、インダクタ２０とコンデンサ２１の並列共振回路ａの共振周波数は略５５Ｈｚに設定される。
【００２３】
電流制限回路ｂは、並列共振回路ａの一次側に接続された抵抗１７に接続された可変抵抗１８、固定抵抗１９で構成され、これら抵抗によって、フォトカプラｃの一次側に流れる電流を調整することで、パルス成形回路ｄ（シュミット回路１３）によって生成される同期信号パルスのパルス幅を適正な値に設定し得るよう構成されている。
【００２４】
フォトカプラｃは、その一次側に流れる交流信号と二次側に流れる直流信号を電気的に絶縁している。
フォトカプラｃの二次側にはプルアップ抵抗１２を接続して、並列共振回路ａの端子電圧の波形を成形するようになってる。
また、フォトカプラｃの二次側には、パルス成形回路ｄを構成するシュミット回路１３が接続されており、フォトカプラｃから出力された波形を同期信号パルスに変換して、制御回路３に出力するようになっている。
【００２５】
このように本例の同期検出回路１は、電源入力側に接続された抵抗１７の出力側に、インダクタ２０とコンデンサ２１の並列共振回路ａを接続し、この並列共振回路ａの出力端子電圧のゼロクロス点を検出することを特徴としている。
すなわち、本例における同期検出回路１によれば、抵抗１７の出力側にインダクタ２０とコンデンサ２１からなる並列共振回路ａが接続されており、入力電源の電源周波数に対してこの並列共振回路ａのインピーダンスは非常に大きく、従って、フォトカプラｃに流れる電流の位相は、電源入力端子８ａ，８ｂに印加される電圧の基本波と同相であり、従来の同期検出回路のような位相の遅れを生じない。
一方、調光装置Ａの中性線路Ｎに鋸歯状波電流が流れて生じる、電源入力端子の電圧の切込み波形（歪波形）は高レベルの高調波を含んでおり、この高調波は基本周波数の２０次に達し、この切込み波形に対しては、インダクタ２０のインピーダンスが大きくなり、従って、抵抗１７とコンデンサ２１のＲ−Ｃフィルタ回路として機能し、コンデンサ２１のインピーダンスが小さくなるので、高次の切込み波形は大きく減衰させられる。
【００２６】
図３（イ）に、交流電源７から電源入力端子８ａ，８ｂに印加される高調波を含んだ電源電圧波形（電源入力端子８ａ，８ｂ間の電圧波形Ｖ０）を、（ロ）にその高調波成分を示し、図４（イ）に、本例の同期検出回路１における並列共振回路ａの出力電圧波形（図２のＰ１における電圧波形Ｖ１）を、（ロ）にその高調波成分を、夫々示す。
このように、並列共振回路ａの出力端子電圧（Ｖ１）は、調光装置Ａにおける中性線路Ｎに誘起される切込み電圧の影響を受けず、よって、パルス成形回路ｄにより安定した同期信号パルス（Ｖ３）が得られ、この同期信号に基づいて制御回路２で作られるサイリスタ調光器３の点弧信号（位相角制御信号）は浮動せず、安定した調光制御が可能となる。
【００２７】
以下、本例図２の同期検出回路１の具体例として、該同期検出回路１における回路定数を、抵抗（１７）＝４ｋΩ、インダクタ（２０）＝８Ｈ、内部抵抗＝２．６５ｋΩ、コンデンサ（２１）＝０．５７μＦ、固定抵抗（１９）＝３ｋΩ、可変抵抗（１８）＝１０ｋΩとし、並列共振回路ａの共振周波数を略５５Ｈｚに設定した場合について説明する。
【００２８】
上記回路定数を採用することにより、図５に示す動作波形図が確認できた。
図５中のＶ０は電源入力端子８ａ，８ｂ間の電圧波形、Ｖ１は並列共振回路ａの出力端子における電圧波形（図２中のＰ１で測定）、Ｖ２は前記電圧波形Ｖ１の出力波形を成形した波形（図２中のＰ２で測定）、Ｖ３はその波形（Ｖ２）をシュミット回路１３で同期信号パルスに変換した同期信号パルス（図２中のＰ３で測定）で、切込み波形が減衰され安定した同期信号が得られることが分かる。
【００２９】
尚、本例の同期検出回路１では一般のシュミット回路１３を採用し、該シュミット回路１３は、その出力がＯＮ動作電圧とＯＦＦ動作電圧が動作の安定を図るために異なる。そのため、図５で見られるように、同期信号パルス（Ｖ３）の位相は、電源電圧波形（Ｖ０）に対して遅れる傾向にある。
従って、回路設計において、前述した回路定数におけるインダクタ（２０）：のＬの値を、前述した算出式で得られる理論値より１０％程度大きく設計し、コンデンサ２１の出力端子電圧（Ｐ１）の位相を電源電圧（Ｖ０）に対して若干進み位相にすることが好ましい。
具体例として、前述した回路定数において、インダクタ：Ｌの値を１０％大きくした回路を構成した。この同期検出回路により、図６に示すとおり、電源電圧波形（Ｖ０）に対して遅れのない同期信号パルス（Ｖ３）の位相を示す動作波形図が確認できた。
【００３０】
ところで、前述したように、調光装置Ａの中性線路Ｎに鋸歯状波電流が流れて生じる電源入力端子の電圧の切込み波形（歪波形）には高レベルの高調波を含んでおり、この高調波は基本周波数の２０次に達する場合がある。
よって、並列共振回路ａの共振周波数は、実際の調光装置Ａの設置現場毎に異なる線路インピーダンス６の大きさ、交流電源７と調光装置Ａ間の線路の長さ、調光する照明器具（負荷４）の数などに応じて、サイリスタ調光器３における定格周波数の５０％〜２００％の範囲内において、適宜値に設定することが好ましい。
【００３１】
本例の同期検出回路において、並列共振回路ａの共振周波数の値を、サイリスタ調光器３における定格周波数の５０％に設定した場合の動作波形図を図７に、１００％に設定した場合の動作波形図を図８に、２００％に設定した場合の動作波形図を図９に、夫々示す。
これらによれば、並列共振回路ａの共振周波数の値を、サイリスタ調光器３における定格周波数の５０％〜２００％の範囲内に設定することで、安定した同期信号パルス（Ｖ３）を得られることが確認できた。
【図面の簡単な説明】
【００３２】
【図１】本発明に係る同期検出回路とこれを含む調光装置の概要を示すブロック図。
【図２】本発明に係る同期検出回路の一例を示す回路構成図。
【図３】高調波を含んだ電源電圧波形（イ）とその高調波成分布（ロ）を示すグラフ。
【図４】図２に示す同期検出回路に図３の電源電圧波形を印加したときの、Ｐ１（Ｖ１）の電圧波形（イ）とその高調波成分布（ロ）を示すグラフ。
【図５】図２に示す同期検出回路における電源入力端子間、Ｐ１（Ｖ１）、Ｐ２（Ｖ２）、Ｐ３（Ｖ３）の夫々における電圧波形を示すグラフで、同期信号パルス（Ｖ３）が電源電圧（Ｖ０）の位相に対し遅れた状態を表す。
【図６】図２に示す同期検出回路における電源入力端子間、Ｐ１（Ｖ１）、Ｐ３（Ｖ３）夫々における電圧波形を示すグラフで、同期信号パルス（Ｖ３）の電源電圧（Ｖ０）位相に対する遅れが改善された状態を表す。
【図７】図２に示す同期検出回路で、並列共振回路の共振周波数の値をサイリスタ調光器における定格周波数の５０％に設定した場合における電源入力端子間、Ｐ１（Ｖ１）、Ｐ３（Ｖ３）の夫々における電圧波形を示すグラフ。
【図８】図２に示す同期検出回路で、並列共振回路の共振周波数の値をサイリスタ調光器における定格周波数の１００％に設定した場合における電源入力端子間、Ｐ１（Ｖ１）、Ｐ３（Ｖ３）の夫々における電圧波形を示すグラフ。
【図９】図２に示す同期検出回路で、並列共振回路の共振周波数の値をサイリスタ調光器における定格周波数の２００％に設定した場合における電源入力端子間、Ｐ１（Ｖ１）、Ｐ３（Ｖ３）の夫々における電圧波形を示すグラフ。
【図１０】調光装置の概要を示す回路構成図。
【図１１】従来の同期検出回路を示す回路構成図。
【図１２】図１１の同期検出回路における電源入力端子間、Ｐ１（Ｖ１）、Ｐ２（Ｖ２）、Ｐ３（Ｖ３）の夫々における電圧波形を示すグラフ。
【図１３】従来の同期検出回路の改良案を示す回路構成図。
【図１４】図１３の同期検出回路における電源入力端子間、Ｐ１（Ｖ１）、Ｐ２（Ｖ２）、Ｐ３（Ｖ３）の夫々における電圧波形を示すグラフ。
【符号の説明】
【００３３】
１：同期検出回路
ａ：ＬＣフィルタ回路
ｂ：電流制限回路
ｃ：フォトカプラ
ｄ：パルス成形回路
２：制御回路
３：サイリスタ調光器
４：負荷（照明器具）
５：ＤＸＭ出力制御回路（調光信号発生部）
６：線路インピーダンス
７：三相４線式の交流電源
８ａ，８ｂ：入力電源端子
１７，１９：固定抵抗
１８：可変抵抗
１２：プルアップ抵抗
１３：シュミット回路
２０：インダクタ
２１：コンデンサ
【図１】
2007115430.tif 000003
【図２】
2007115430.tif 000004
【図３】
2007115430.tif 000005
【図４】
2007115430.tif 000006
【図５】
2007115430.tif 000007
【図６】
2007115430.tif 000008
【図７】
2007115430.tif 000009
【図８】
2007115430.tif 000010
【図９】
2007115430.tif 000011
【図１０】
2007115430.tif 000012
【図１１】
2007115430.tif 000013
【図１２】
2007115430.tif 000014
【図１３】
2007115430.tif 000015
【図１４】
2007115430.tif 000016